【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
プリンタ用のトナー容器アセンブリであって、前記トナー容器アセンブリは、シールアセンブリを備え、前記シールアセンブリは、
外側の保持リングであって、非接着性キャリアと、前記非接着性キャリアの表面上の第１の接着剤層と、前記外側の保持リングを通る第１の開口部とを備え、３８ｍｍから４４ｍｍまでの外径を有する、外側の保持リングと、
発泡体リングであって、前記発泡体リングを通る第２の開口部を備え、前記発泡体リングは前記第１の接着剤で前記外側の保持リングに取り付けられ、２９ｍｍから３５ｍｍまでの外径を有する、発泡体リングと、
前記発泡体リングに取り付けられる両面接着剤リングであって、前記両面接着剤リングを通る第３の開口部を備え、２９ｍｍから３５ｍｍまでの外径を有する、前記両面接着剤リングと、
固形発泡体ディスクであって、前記固形発泡体ディスクを通る第１のスリットと、前記固形発泡体ディスクを通る第２のスリットと、前記両面接着剤リングに物理的に接触する主要な表面とを備え、２９ｍｍから３５ｍｍまでの外径を有する、固形発泡体ディスクと、
を備え、
前記第１のスリットは前記第２のスリットに垂直であり、前記固形発泡体ディスクは前記両面接着剤層によって前記発泡体リングに取り付けられ、
前記第１の開口部、前記第２の開口部、前記第３の開口部、前記第１のスリットの中心および前記第２のスリットの中心は、前記固形発泡体ディスクの前記主要な表面と垂直な軸に沿ってほぼ整列される、トナー容器アセンブリ。
【請求項２】
請求項１に記載のトナー容器アセンブリであって、
ディスペンス端部に開口部を備えるトナー容器をさらに備え、
前記シールアセンブリは前記トナー容器の前記開口部内に配置され、
前記シールアセンブリは前記外側の保持リングおよび前記第１の接着剤を使用して前記トナー容器に取り付けられる、トナー容器アセンブリ。
【請求項３】
前記外側の保持リングは０．２５ｍｍから０．７５ｍｍまでの厚さを有し、
前記両面接着剤層は０．１ｍｍから０．３ｍｍまでの厚さを有し、
前記発泡体リングは４ｍｍから８ｍｍまでの厚さを有し、
前記固形発泡体ディスクは４ｍｍか８ｍｍまでの厚さを有し、
それぞれのスリットは１０ｍｍから２０ｍｍまでの長さを有する、
請求項１に記載のトナー容器アセンブリ。
【請求項４】
前記外側の保持リングを通る前記第１の開口部は１７ｍｍから２３ｍｍまでであり、
前記発泡体リングを通る前記第２の開口部は５ｍｍから１１ｍｍまでの直径を有し、
前記両面接着剤リングを通る前記第３の開口部は１７ｍｍから２３ｍｍまでの直径を有する、
請求項３に記載のトナー容器アセンブリ。
【請求項５】
前記発泡体リングおよび前記固形発泡体ディスクは、ポリエチレン発泡体およびウレタン発泡体のうちの少なくとも１つを備える、請求項１に記載のトナー容器アセンブリ。
【請求項６】
シールアセンブリを備えるトナー容器アセンブリであって、前記シールアセンブリは、
外側の保持リングであって、非接着性キャリアと、前記非接着性キャリアの表面上の第１の接着剤層と、前記外側の保持リングを通る第１の開口部とを備える、外側の保持リングと、
発泡体リングであって、前記発泡体リングを通る第２の開口部を備え、前記発泡体リングは前記第１の接着剤で前記外側の保持リングに取り付けられる、発泡体リングと、
前記発泡体リングに取り付けられる両面接着剤層と、
固形発泡体ディスクであって、前記固形発泡体ディスクを通る第１のスリットと前記固形発泡体ディスクを通る第２のスリットとを備え、前記第１のスリットは前記第２のスリットに垂直であり、前記固形発泡体ディスクは前記両面接着剤層によって前記発泡体リングに取り付けられる、固形発泡体ディスクと、
を備える、トナー容器アセンブリと、
前記外側の保持リングを通る前記第１の開口部内、前記発泡体リングを通る前記第２の開口部内、および前記両面接着剤層を通る第３の開口部内に配置されるディスペンスオーガと、
前記トナー容器アセンブリを収納するプリンタ筐体と、
を備える、プリンタ。
【請求項７】
請求項６に記載のプリンタであって、
ディスペンス端部に開口部を備えるトナー容器をさらに備え、
前記シールアセンブリは前記トナー容器の前記開口部内に配置され、
前記シールアセンブリは前記外側の保持リングおよび前記第１の接着剤を使用して前記トナー容器に取り付けられる、プリンタ。
【請求項８】
前記両面接着剤層は、両面接着剤リングであって、前記両面接着剤リングを通る第３の開口部を備える、前記両面接着剤リングであり、
前記固形発泡体ディスクの主要な表面は前記両面接着剤リングに物理的に接触し、
前記第１の開口部、前記第２の開口部、前記第３の開口部、前記第１のスリットの中心および前記第２のスリットの中心は、前記固形発泡体ディスクの前記主要な表面と垂直な軸に沿ってほぼ整列される、
請求項６に記載のプリンタ。
【請求項９】
前記外側の保持リングは３８ｍｍから４４ｍｍまでの外径を有し、
前記両面接着剤リングは２９ｍｍから３５ｍｍまでの外径を有し、
前記発泡体リングは２９ｍｍから３５ｍｍまでの外径を有し、
前記固形発泡体ディスクは２９ｍｍから３５ｍｍまでの外径を有する、
請求項８に記載のプリンタ。
【請求項１０】
前記外側の保持リングは０．２５ｍｍから０．７５ｍｍまでの厚さを有し、
前記両面接着剤層は０．１ｍｍから０．３ｍｍまでの厚さを有し、
前記発泡体リングは４ｍｍから８ｍｍまでの厚さを有し、
前記固形発泡体ディスクは４ｍｍか８ｍｍまでの厚さを有し、
それぞれのスリットは１０ｍｍから２０ｍｍまでの長さを有する、
請求項８に記載のプリンタ。
【請求項１１】
前記外側の保持リングを通る前記第１の開口部は１７ｍｍから２３ｍｍまでであり、
前記発泡体リングを通る前記第２の開口部は５ｍｍから１１ｍｍまでの直径を有し、
前記両面接着剤リングを通る前記第３の開口部は１７ｍｍから２３ｍｍまでの直径を有する、
請求項１０に記載のプリンタ。
【請求項１２】
前記発泡体リングおよび前記固形発泡体ディスクは、ポリエチレン発泡体およびウレタン発泡体のうちの少なくとも１つを備える、請求項１１に記載のプリンタ。
【請求項１３】
前記トナー容器内にトナーをさらに備える、請求項６に記載のプリンタ。
【請求項１４】
前記プリンタ筐体内に収納されるプリントエンジンをさらに備え、
前記ディスペンスオーガが、前記トナーを前記プリントエンジンに輸送するように構成される、
請求項１３に記載のプリンタ。
【請求項１５】
プリンタ用のトナー容器アセンブリであって、前記トナー容器アセンブリは、シールアセンブリを備え、前記シールアセンブリは、
外側の保持リングであって、非接着性キャリアと、前記非接着性キャリアの表面上の第１の接着剤層と、前記外側の保持リングを通る第１の開口部とを備え、０．２５ｍｍから０．７５ｍｍまでの厚さを有する、外側の保持リングと、
発泡体リングであって、前記発泡体リングを通る第２の開口部を備え、前記発泡体リングは前記第１の接着剤で前記外側の保持リングに取り付けられ、４ｍｍから８ｍｍまでの厚さを有する、発泡体リングと、
前記発泡体リングに取り付けられる両面接着剤リングであって、前記両面接着剤リングを通る第３の開口部を備え、０．１ｍｍから０．３ｍｍまでの厚さを有する、両面接着剤リングと、
固形発泡体ディスクであって、前記固形発泡体ディスクを通る第１のスリットと、前記固形発泡体ディスクを通る第２のスリットと、前記両面接着剤リングに物理的に接触する主要な表面とを備える固形発泡体ディスクと、
を備え、
前記固形発泡体ディスクは４ｍｍか８ｍｍまでの厚さを有し、
それぞれのスリットは１０ｍｍから２０ｍｍまでの長さを有し、
前記第１のスリットは前記第２のスリットに垂直であり、前記固形発泡体ディスクは前記両面接着剤層によって前記発泡体リングに取り付けられ、
前記第１の開口部、前記第２の開口部、前記第３の開口部、前記第１のスリットの中心および前記第２のスリットの中心は、前記固形発泡体ディスクの前記主要な表面と垂直な軸に沿ってほぼ整列される、トナー容器アセンブリ。